Podtech/llm-jp-corpus-v4-ja_patent huggingface dataset:
(57)【要約】      （修正有）【課題】各種キャラクターに模して成形されたぬいぐるみ型筆記具用キャップを提供することにより、従来にない愛らしい筆記具アクセサリーとして魅力のある商品価値を創造することが可能となる。また、各種キャラクターを模したぬいぐるみ状キャップ本体を配することにより、児童に筆記具を身近なものとすることが可能となる。【解決手段】ぬいぐるみ型筆記具用キャップにおいて、人物や動物などの各種キャラクターに模して成形されたぬいぐるみ状キャップ本体１に、筆記具Ｐを被嵌せしめる筒状体２を形成してなることを特徴とする。【選択図】図１
0003101171.tif 000002
【実用新案登録請求の範囲】
【請求項１】
人物や動物などの各種キャラクターに模して成形されたぬいぐるみ状キャップ本体に、筆記具を被嵌する筒状体を形成してなる、ぬいぐるみ型筆記具用キャップ。
【考案の詳細な説明】
【技術分野】
【０００１】
本考案は、各種キャラクターに模して成形されたぬいぐるみ型の筆記具用キャップに関し、殊に、児童に親しまれるファンシーグッズとして提供されるぬいぐるみ型筆記具用キャップに関するものである。
【背景技術】
【０００２】
従来より、鉛筆やボールペンなどの筆記具に使用する筆記具用のキャップが提供されている。（例えば、特許文献１や特許文献２。）
【０００３】
【特許文献１】実用新案登録第２５５２３６８号公報
【特許文献２】実用新案登録第２５４５３３０号公報
【考案の開示】
【考案が解決しようとする課題】
【０００４】
しかしながら、上記した如くの従来提供されている筆記具用キャップは、全体形状を略筒状体とする合成樹脂材からなるキャップであり、主として筆記具の芯先を保護する目的を達成するための機能的態様のものであった。
【０００５】
したがって、かかる筆記具用キャップのキャラクター商品化は、外面にキャラクターを印刷表示するものにとどまり、筆記具アクセサリーや児童の間で親しまれているファンシーグッズとしての魅力に欠けるものとならざるを得ない。
【０００６】
また、合成樹脂材のキャップをキャラクターの形状に成形する筆記具用キャップもみられるが、キャラクターに応じた質感が現れにくく、特に動物キャラクターの肌触りなどに欠くこととなる。
【課題を解決するための手段】
【０００７】
本考案は上記の課題に鑑みなされたものであり、ぬいぐるみ型筆記具用キャップにおいて、人物や動物などの各種キャラクターに模して成形されたぬいぐるみ状キャップ本体に、筆記具を被嵌せしめる筒状体を形成してなることを特徴とするものである。
【考案の効果】
【０００８】
本考案は、各種キャラクターに模して成形されたぬいぐるみ型筆記具用キャップを提供することにより、従来にない愛らしい筆記具アクセサリーとして魅力のある商品価値を創造することが可能となる。
【０００９】
また、各種キャラクターを模したぬいぐるみ状キャップ本体を配することにより、児童に筆記具を身近なものとすることが可能となる。
【００１０】
さらに、筒状体を布地などの伸縮自在とすることにより、筆記具の被嵌状態を自由に変化させることが可能となる。
【考案を実施するための最良の形態】
【００１１】
本考案の実施の形態を図面に基づき説明する。
【００１２】
図１〜図２は、本考案の実施例であり、鉛筆やボールペンなどの筆記具に用いられた状態を示す斜視図である。
【００１３】
１は、ぬいぐるみ状キャップ本体であり、２は、筒状体であり、Ｐは、筆記具を示すものである。
【００１４】
本考案における「ぬいぐるみ」とは、「中に綿などを詰め動物などの外形にかたどり、これを包み込むように周囲を縫ったもの」と一般に理解されているものをいう。
【００１５】
図示のとおり、実施例におけるぬいぐるみ型筆記具用キャップは、象とうさぎの動物キャラクターに模して成形されているが、本考案に係るぬいぐるみ型筆記具用キャップは、これに限定されず人物などの各種キャラクターを模して成形されるものである。
【００１６】
本考案は、例えば布製の生地を各種のキャラクターの外形に模して成形し、これに綿やクッションなどを詰め、全体を適当に膨らませることにより、ぬいぐるみ状キャップ本体となる。なお、本考案に係る筆記具用ぬいぐるみは、使用する素材は限定されるものではなく、キャラクターの種類に応じた質感、風合いを備える素材が選択されるものである。
【００１７】
筆記具を挿入し、該筆記具を被嵌せしめる筒状体は、ぬいぐるみキャップ本体に一体的に形成されており、例えばぬいぐるみ状キャップ本体と同様に布製の生地を用い、図示した実施例のように、ぬいぐるみ状キャップ本体の下側に形成させるものが想定される。
【００１８】
筒状体は、伸縮自在の素材を用いることにより、筆記具の被嵌状態を使用者の自由に変化させることが可能となり、例えば、芯側に伸ばすことにより、使用中の汗を吸収させることにも利用可能となる。
【００１９】
図示された実施例においては、筆記具の一方端部が、本考案に係る筆記具用キャップの筒状体に挿入された状態で、動物キャラクターが、筆記具の芯先の反対側に配されるように構成されている。
【００２０】
本考案に係るぬいぐるみ型筆記具用キャップは、図面に示される実施例に限定されるものではなく、本考案の目的を達成する範囲内で適宜設計変更しうるものである。
【図面の簡単な説明】
【００２１】
【図１】本考案に係るぬいぐるみ型筆記具用キャップの一実施例を示す斜視図。
【図２】本考案に係るぬいぐるみ型筆記具用キャップの一実施例を示す斜視図。
【符号の説明】
【００２２】
１  ぬいぐるみキャップ本体
２  筒状体
Ｐ  筆記具
【図１】
0003101171.tif 000003
【図２】
0003101171.tif 000004
(57)【要約】【課題】本考案は最近増大している農家の畑や果樹園の収穫物の盗難や倉庫のお米の盗難や野生動物からの被害を抑止しようとするものである。【解決の手段】断線警報器、電線、傾斜スイッチや動きセンサーを組み合わせて電線を切ったり、引っ張ることにより果樹園等の広いエリヤの防犯を安価なコストで実現しようとするものである。【選択図】      図２
0003101410.tif 000002
【実用新案登録請求の範囲】
【請求項１】
複数の断線警報器とそれを相互に接続する２本の電線とその途中に接続する複数の傾斜スイッチからなり、電線を切ったり、引っ張ることにより電源が入っているすべての断線警報器から大音響の警報がいっせいに発生して犯人を威嚇し、侵入を防ぐ仕組みの侵入警報装置。
【請求項２】
複数の断線コントローラーとそれを相互に接続する２本の電線とその途中に接続する複数の傾斜スイッチからなり、電線を切ったり、引っ張ることにより電源が入っている断線コントローラーから電波を送信し、離れた場所にある電話や携帯電話または電波受信警報器に信号やメッセージを伝達する仕組みの侵入警報装置。
【考案の詳細な説明】
【考案の詳細な説明】
【産業上の利用分野】
【０００１】  近年、ナシ、ブドウ、スイカ、お米等、農産物の被害が増大している。収穫直前を狙い、複数の人間が夜間、短時間に果樹園や農場に侵入し、盗んでいく手口が多くなっている。また警備の手薄い農家の倉庫に侵入し、大量の出荷前のお米を盗む手口も全国で発生している。  また、クマ、イノシシ、サル等の野生動物が農家の収穫物を食い荒らす被害も増えている。  本考案はこのような農家の大切に育てきた収穫物の盗難や野生動物による被害を抑止するために利用される。また建設資材置き場や危険区域への侵入警告、出入り禁止場所への無断侵入を抑止するためにも利用される。
【背景技術】
【０００２】  従来より、果樹園等の広いエリヤの侵入防犯対策のひとつに、赤外線ビームセンサーがある。この方法は障害物のない広いエリヤに効果的であるが風によるごみや、落ち葉等による誤作動が多くまた電流を多く消費するため、ＡＣ１００Ｖ等の大きい電源が必要であった。そして設置工事に多くの費用がかかり特殊な場所以外ではあまり使われていないのが現状である。  また静電容量の変化を利用する方法もあるが設備が大げさで、コスト面で果樹園等では到底使用できなかった。  また踏んだり圧力を加えるとスイッチが入るテープ形状のテープスイッチやロープ形状のロープスイッチがあるが、それらは太くて目立つので犯人に容易に見破られたり、ある一定の強さの圧力をかけなければ作動しないので、主に車の進入禁止場所に使われたり、壁の上に敷設して人間の体重のような強い圧力で作動させるものである。
【考案が解決しようとしている課題】
【０００３】本装置は果樹園や農場の入り口や周りに適当な間隔で断線警報器を一個または複数個設置してそれらを見えにくいナイロンコーティングした電線で接続し、泥棒や野生動物が果樹園や農場に侵入しようとすると、電線に足をとられて引っ張ったり切断したりすることにより警報が鳴ったり「請求項１」電波を送信して別置きの警報器を鳴らしたり電話や携帯電話等で通報する「請求項２」仕組みである。（「図１」参照）
【課題を解決するための手段】
【０００４】  すなわち、「図２」の動作回路ブロック図において電線に常時微小な電流が流れるようにループ状に接続しておいて、回路が一箇所でも開の状態になると、断線警報回路が作動して大音響の警報がなる仕組みである。  また侵入者が電線を引っ張ると中にある自動電線巻き取り器から電線が引っ張られ、断線警報器の上においてある傾斜スイッチが連動して引っ張られ、落下すると常時閉の回路が開放され断線警報回路が働く仕組みである。なお、自動電線巻き取り器はゼンマイ状のバネで電線を常時適度の強さで巻き取る構造のものが１例としてある。（「図３」参照）  断線コントローラーの場合も同様に作動して警報を鳴らす代わりに電波送信機をトリガーして電波を送信して受信機側に信号を送り関係者に知らせる仕組みである。（「図１」参照）
【０００５】設置方法は断線警報器一個の場合「図４」のごとく断線警報器の相手側は一本の支柱にローラーを固定して電線が自由に動くように設置する。断線警報器が複数個の場合は「図９」のごとくプラス、マイナス極性に注意して相互に接続し、常時わずかな電流が流れるようにする。  曲がりくねった場所には「図５」のように断線警報器を複数個設置したり、「図６」のように電線支持棒を立てて電線を保持する。きめ細かく線を張る場合は「図７」のように往復に線を張りそれぞれの断線警報器に電線保持具や電線が動きやすいように電線支持ローラーをつける。既設の防護ネット等に取り付ける場合は「図８」のように防護ネットの上部と下部に電線を這わせ、防護ネットを引っ張ったり持ち上げると警報回路が容易に作動するように適当な場所に常時閉の傾斜スイッチや動きセンサーを取り付け、防護ネットを下から持ち上げたり、激しく動かすことによって回路が切れるように装着する。  以上のように取り付け方法は現場の状況により異なるが動作原理は同じである。狭いエリヤの場合は断線警報器の数を減らし、広いエリヤの場合は断線警報器の数を増やす。芋づる式に接続できるので増設が簡単であり、微小な電流で動作するので乾電池駆動が可能で移設も簡単である。
【考案の効果】
【０００６】本装置は比較的安価なコストで狭いエリヤから広く複雑な地形の場所でも手軽に防犯対策ができ、取り扱いも簡単なので農家の果樹園や農場の防犯対策のみならず、倉庫、資材置き場、危険区域の侵入禁止警報にも使用できる。
【図面の簡単な説明】
【図１】本考案の使用イメージ図である。
【図２】本考案の侵入警報装置の動作回路ブロック図と回路の一例である。
【図３】電線を引っ張ると警報回路が働く動作原理図である。
【図４】侵入警報器一個のときの接続図である。
【図５】変形地形の設置場所の設置例の平面図である。
【図６】電線支持棒を使った設置例の図面である。
【図７】往復配線をした設置例の図面である。
【図８】本考案を防護ネットに取り付けた設置例である
【図９】各種の設置例の参考図である。
【図１】
0003101410.tif 000003
【図２】
0003101410.tif 000004
【図３】
0003101410.tif 000005
【図４】
0003101410.tif 000006
【図５】
0003101410.tif 000007
【図６】
0003101410.tif 000008
【図７】
0003101410.tif 000009
【図８】
0003101410.tif 000010
【図９】
0003101410.tif 000011
(57)【要約】      （修正有）【課題】もみの木や庭木などがなくても吊す所があればどこにでも自由自在に設置することができ、収納時は畳むことや丸めることが簡単にできる、軽量コンパクトで場所を取らないネット状のクリスマスツリーを提供する。【解決手段】全体の形状は、底辺が１ｍ〜２ｍ位、高さが２ｍ〜３ｍ位の二等辺三角形であり、材質はポリプロエチレン製・ビニ−ル製・ナイロン製の紐など又はその他の紐などで作り、全体の平面にあたる部分はネット状であり、一区画は縦１ｃｍ〜１０ｃｍ位及び横１ｃｍ〜１０ｃｍ位の網目状になる。頂点部分には、吊し紐などが付いている。又、底辺の両端部には、同様の引き紐など付いている。収納時は、装飾品などを特に取り外すことなく畳むことや丸めることが簡単にできる。【選択図】図１
0003101401.tif 000002
【実用新案登録請求の範囲】
【請求項１】
本考案は、ビニ−ル製の紐等により、平面型に作られたネット状のクリスマスツリ−であり、電球イルミネ−ションや装飾品を絡ませることにより飾り付けが簡単にでき、屋内外に設置ができるネット状クリスマスツリ−。
【考案の詳細な説明】
【技術分野】
【０００１】
本考案は、もみの木や庭木などがなくても吊す所があればどこにでも自由自在に設置することができ、収納は軽量コンパクトで場所を取らずに、色々な飾り付けを楽しむために作られたネット状クリスマスツリ−である。
【背景技術】
【０００２】
従来は、もみの木や庭木などがなければクリスマス用の電球イルミネ−ションなどや装飾品などをクリスマスツリ−として自由自在に飾り付けることができなかったので、色々なバリエ−ションなどの演出等を楽しめることができなかった。
【特許文献１】特開平０７−１９４４８１号公報
【特許文献２】特開２００１−１９０３９６号公報
【考案の開示】
【考案が解決しようとする課題】
【０００３】
最近の住宅事情等では、クリスマス時期などのイベント等において、もみの木や庭木などがなければクリスマス用の電球イルミネ−ションなどや装飾品などの飾り付けが自由自在にできなかった。又、適当な立木があってもその場所や形状によっては飾り付けなどの制限が出てしまった。これらの欠点を防ぎ、解決するために考案されたものである。
【課題を解決するための手段】
【０００４】
全体の底辺に当たる長さは１ｍ〜２ｍ位であり、高さが頂点部までは２ｍ〜３ｍ位の二等辺三角形となっており、材質はポリプロエチレン製・ビニ−ル製・ナイロン製の紐など又はその他の紐などでつくり、全体の平面にあたる部分はネット状であり、一区画は縦１ｃｍ〜１０ｃｍ位及び横１ｃｍ〜１０ｃｍ位の網目状になる。特に、全体の外周部分や平面部分には電球イルミネ−ション（ＬＥＤ球）などや装飾品などを自由自在に飾り付けができるので色々なバリエ−ションを楽しめる。頂点部には吊し紐などが付いており高い所に固定させるので簡単に展開ができる。底辺の両端部には同様の引き紐など付いており両端部を斜め下方向に引きながら杭などを使用して固定させる。収納時は、全体に飾り付けてある電球イルミネ−ションなどや装飾品などを特に取り外すことなく畳むことや丸めることが簡単にできる。
【考案の効果】
【０００５】
本体は、耐久性と柔軟性のあるネット状のクリスマスツリ−であり、吊す所があれば自由自在にどこにでも設置することができ、又、飾り付けなどにおいては、色々なバリエ−ションや演出等を楽しむことができる。しかも、軽量であるので持ち運びが楽であり又、コンパクトに収納ができるので、非常に設置が簡単である。さらに、壁等に展開することにより屋内外の使用が可能である。又、クリスマス以外の時期にはＳの字環などを併用することにより小物掛けとして使用することができる。
【考案を実施するための最良の形態】
【０００６】
最近の住宅事情等において、クリスマスツリ−としてもみの木や庭木などがなければ電球イルミネ−ション（ＬＥＤ球）などや装飾品などの飾り付けが自由自在にできなかった。又、例え適当な立木があってもその場所や形状によっては飾り付けなどの制限が出てしまったが、このネット状クリスマスツリ−を使用することにより簡単に自由自在にどこにでも設置ができ、収納時も簡単にできる。又、電球イルミネ−ションなどや装飾品などの飾り付けが自由自在にできるので、色々なバリエ−ションなどの演出等を楽しむことができる。
【実施例】
【０００７】
（イ）図２の１は、電飾（ＬＥＤ球）などをネットに飾った時の使用
（ロ）図３の１は、装飾品などを飾った時の使用
（ハ）図４の１は、ツリ−を展開させるための吊し紐と底辺部の引き紐
（ニ）図７の１は、ツリ−収納時に止めるバンド
【図面の簡単な説明】
【０００８】
【図１】本考案を正面から見た図
【図２】本考案を照明器具１を装着した時の図
【図３】本考案を照明器具２（装飾品）を装着した時の図
【図４】本考案を屋外に設置した時の図
【図５】本考案をコンパンクトに収納する第１段階の図
【図６】本考案をコンパンクトに収納する第２段階の図
【図７】本考案を収納させ側面から見た図
【符号の説明】
【０００９】
１ポリプロエチレン製・ビニ−ル製・ナイロン製の紐
２頂点部に本体を吊すための紐
３底辺の両端部に本体を引くための紐
【図１】
0003101401.tif 000003
【図２】
0003101401.tif 000004
【図３】
0003101401.tif 000005
【図４】
0003101401.tif 000006
【図５】
0003101401.tif 000007
【図６】
0003101401.tif 000008
【図７】
0003101401.tif 000009
(57)【要約】
【課題】  ティーバッグの袋体であるフィルターから浸透する茶の香り、風味を増加させるために提供する。
【解決手段】ティーバッグ用フィルターに穴を設けることにより茶の風味を抽出する。穴の数・大きさは茶の種類により変える。
【選択図】  図１
0003101443.tif 000002
【実用新案登録請求の範囲】
【請求項１】
ティーバック用のフィルターに茶葉の種類や大きさに対応した複数の穴を設けることにより、茶の抽出性を高めたフィルター
【考案の詳細な説明】
【技術分野】
【０００１】  本考案は、ティーバッグで使用されているフィルターに穴を設けることによる茶の抽出性に関するものである。
【背景技術】
【０００２】  ティーバッグで使用されているフィルターは湿式、乾式で製造された不織布からなり、ティーバッグから浸透する風味は水又は湯に漬ける時間により変わるが、不織布の持つ性質及び製造する機械の特性により使用する不織布の選択が制限されている。ティーバッグを製造するためには機械適性に合った不織布を第一条件として考えるため、中身の茶本来の風味を抽出するには限界がある。
【考案の開示】
【考案が解決しようとする課題】
【０００３】  ティーバッグの製造機械適性を阻害することのない従来から使用しているティーバッグ用フィルターを一部加工することで、機械適性に影響されることなくティーバッグが製造でき、フィルターからの浸透による茶の風味とは別に茶本来の風味を抽出することができる。
【課題を解決するための手段】
【０００４】  ティーバック用のフィルターに複数の穴を設け、茶の抽出性を高める。様々な茶葉の種類や大きさ、抽出時間のコントロールに対応するため、フィルターの穴の大きさ、穴の数を変更する。
【考案の効果】
【０００５】  フィルターに複数の穴を設けることで、ティーバック製造の機械適性に阻害されることなく、浸透とは別に茶の抽出性の高いティーバックが製造可能である。
【考案の実施するための形態】
【０００６】  以下、本考案の実施の形態を説明する。
（イ）ティーバッグ用フィルターに複数の穴を設ける。
（ロ）フィルターの穴の大きさ、形状、数は茶葉の種類や大きさ、風味の抽出時間に      より異なる。
【図面の簡単な説明】
【０００７】
【図１】本考案図は、ティーバッグの袋体であるフィルターに複数の穴を設けたものである。穴の大きさ、数は、茶葉の種類により異なる。
【符号の説明】
【０００８】１  フィルター
２  タグ
３  糸
４  穴
【図１】
0003101443.tif 000003
(57)【要約】
【課題】  本考案は、特に外気温が低下する冬期間におけるカスピ海ヨーグルトの発酵生成を確実かつ迅速に行うための専用の保温器を提供することを目的とするものである。
【解決手段】  本考案は、内部形状をヨーグルトメーカー器体ａの外形に合わせて上下に分割して成る分割体１，２を発泡スチロール材によって構成し、ヨーグルトメーカー器体が収容する分割体の内部空間部１'，２'と器体との間に十分な間隔３，３’を保持するようにし、この分割体を上下各容体４，６に一体に嵌着して成るものである。
【選択図】    図３
0003101445.tif 000002
【実用新案登録請求の範囲】
【請求項１】
内部形状をヨーグルトメーカー器体の外形に合わせて上下に分割して成る分割体を発泡スチロール材によって構成し、ヨーグルトメーカー器体が収容する分割体の内部空間部と器体との間に間隔を保持するようにし、この分割体を上下各容体に一体に嵌着して成ることを特徴とするヨーグルトメーカー用保温器。
【考案の詳細な説明】
【技術分野】
【０００１】
本考案は、ヨーグルトメーカー用保温器に関するものである。
【背景技術】
【０００２】
本考案の出願人は、すでに実用新案登録第３０９６４４８号に係るヨーグルトメーカーを実施しているが、この容器を使用してのカスピ海ヨーグルトの製作は、冬期間以外の季節では順調にできても、気温が低下する冬期間では菌の発酵に時間がかかり２〜３日間要していたため、技術的課題となっていた。
【０００３】
すなわち、カスピ海ヨーグルトはその中で乳酸菌と酵母が呼吸をしている生き物であり、発酵にともなって少量の炭酸ガスやエタノールガスを発生するから、容器の蓋を密閉しないで常温（室温２０〜３０度）で６〜１２時間位放置しておくことになるが、外気温が５度以下になると発酵が殆んど停止状態になる。かといって、ストーブやコタツによって室温を上昇させたり、乾燥したりすると、雑菌が繁殖し易い状態になるため、発酵菌の生成が困難になる。
【０００４】
【特許文献１】実用新案登録第３０９６４４８号公報
【考案の開示】
【考案が解決しようとする課題】
【０００５】
そこで、本考案は特に冬期間におけるカスピ海ヨーグルトの発酵を困難にする原因を除去し、確実に生成するための専用の保温器を提供することを目的とするものである。
【課題を解決するための手段】
【０００６】
本考案は、内部形状をヨーグルトメーカー器体の外形に合わせて上下に分割して成る分割体を発泡スチロール材によって構成し、ヨーグルトメーカー器体が収容する分割体の内部空間部と器体との間に十分な間隔を保持するようにし、この分割体を上下各容体に一体に嵌着して成るものである。
【考案の効果】
【０００７】
本考案は、カスピ海ヨーグルトを作るためのヨーグルトメーカーの器体を上下に分割する発泡スチロール製の分割体によって適当な間隔をもって包囲し、これを上下の容体内部に一体に構成して室温下で放置しておくものであるため、冬期間中であってもヨーグルト菌は良好に発酵を続けることができるようになり、四季を通じてカスピ海ヨーグルトを作ることができるのである。
【考案を実施するための最良の形態】
【０００８】
いまヨーグルトメーカーの器体を本考案容器に収容するときは、まず下分割体部を開いてその内部に器体の下半部分を収容し、しかる後に上分割体部を被套して器体の上半部分を収容する。
【０００９】
また、冬期においては、予め牛乳を約３５度に加熱しておき、これにタネ菌のカスピ海菌を入れると３０度位に低下するようになる。その後は、次第に２０度位まで低下して固まるようになる。
【００１０】
なお、本考案に係る保温器の提供によって、保温器付きヨーグルトメーカーとして販売し使用することができるものであることから、冬期間のみならず、高温高湿の真夏期間にあっても、ヨーグルトメーカーを常温下に保持することができるものとなり、カスピ海菌によるヨーグルト作りを外気温に左右されることなく年間を通じて順調に行うことができるのである。
【実施例】
【００１１】
全体は発泡スチロール材によって製作するもので、１，２は内部形状をヨーグルトメーカー器体ａの外形状に合わせて形成するとともにこれを上下に分割するように製作した分割体である。
【００１２】
３，３'は前記両分割体１，２の内部空間部１'，２'とヨーグルトメーカー器体ａとの間に形成される間隔部で、この間隔部は器体内部でヨーグルト菌の発酵によって発生する炭酸ガスやエタノールガスを逃がすために必要な空間となる。
【００１３】
４は前記下分割体１部分を一体に嵌着する硬質合成樹脂製の下容体で、この下容体の周囲には把持用耳片５，５を設ける。
【００１４】
６は前記上分割体２部分を一体に嵌着する硬質合成樹脂製の上容体で、この上容体は前記下分割体１部分を嵌着した下容体４の上面に載置被套する。
【図面の簡単な説明】
【００１５】
【図１】全体の分離状態を示した斜視図
【図２】収容時の全体の斜断面図
【図３】収容時の全体の中央部縦断面図
【符号の説明】
【００１６】
１，２            上下の分割体
１'，２'          内部空間部
３，３'           間隔部
４                下容体
６                上容体
ａ                ヨーグルトメーカー器体
【図１】
0003101445.tif 000003
【図２】
0003101445.tif 000004
【図３】
0003101445.tif 000005
(57)【要約】      （修正有）【課題】道路補修工事において、舗装アスファルトの厚さを検知するための工事路面の深さを計るアルミロッドの立置き具を提供する。【解決手段】逆Ｔ字形の安定具の縦軸部２に凹状の溝を形成し、この溝にアルミロッドを挿入して立て、アルミロッドの目盛を読む。【選択図】図１
0003101441.tif 000002
【実用新案登録請求の範囲】
【請求項１】
側面Ｔ字体の水平軸を接地部（４）とし垂直軸（２）を保持部とした逆Ｔ字形の安定具Ａであって、垂直軸の正面にアルミロッド（１）嵌入用の凹部を形成し、該凹部（３）にアルミロッド（１）を嵌合することを特徴としたアルミロッド立置き具。
【考案の詳細な説明】
【技術分野】
【０００１】  本考案は、道路補修工事等平面の高低を測定する土木工事において、新しく盛土する厚み、例えば新しくする舗装アスファルトの厚さを測定するための路面の深さを計るアルミロッドの立置き具に関する。
【背景技術】
【０００２】  従来、新しく舗装するアスファルトの厚さを検知するために工事路面の深さを測定する場合には、作業員がアルミロッドを手で持ち足元に立てて前方から他の作業員が、この目盛を見て計測している。
【特許文献１】  特開平０５−９８６０８号公報
【考案の開示】
【考案が解決しようとする課題】
【０００３】  このため何人かの作業員が必要となり、時間的にも無駄が多いという欠点があった。
【課題を解決するための手段】
【０００４】  考案者は、この点に鑑み鋭意研究を重ねた結果本考案に到達したものであって、本考案は、逆Ｔ字形の安定具Ａの縦軸部にアルミロッドが嵌入する凹状の嵌合部（３）を作り、この溝（３）の中にアルミロッド（１）を挿入して立設することによって、これを補修する道路面上に置くことによって１人で計測することができる。
【考案の効果】
【０００５】  上述のように本考案のアルミロッド立置き具は、逆Ｔ字形の安定具Ａを用いることによって、アルミロッド（１）を安定して置くことができるため、従来のようにアルミロッドを支え持つ作業員が不要となるばかりか、ロッド自体が安定して直立していて正確な数値の読み取りができるという作業上の効果は大きい。
【考案を実施するための最良の形態】
【０００６】  図面により本考案の実施するための最良の形態を説明すると、図１は逆Ｔ字形の安定具Ａの斜視図であって、この逆Ｔ字体Ａの縦軸（２）は図示のようにアルミロッド（１）が嵌入する凹状の嵌合部（３）を設ける。図２はアルミロッド（１）を、この凹状の嵌合部（３）に嵌入して工事路面Ｇ上に立設した実施例図である。
【実施例】
【０００７】  本考案の使用による実施例を説明すると、図２に示すように、補修する道路面Ｇ上に逆Ｔ字形の安定具Ａを置き、この安定具Ａの縦軸（２）に形成した凹状の嵌合部（３）にアルミロッド（１）を挿入して立て置き、前方から作業員が、このアルミロッド（１）の目盛を予め基準線として張られている糸（図示していない）と合せて計測するものである。これによって基準面に対しての舗装アスファルト或は舗装コンクリートの厚さを知ることができる。
【産業上の利用可能性】
【０００８】  本考案のアルミロッド立置き具は道路の舗装工事用として作業員の節減と測量の正確な点から必需品として使用される。
【図面の簡単な説明】
【０００９】
【図１】  安定具Ａの斜視図
【図２】  使用の実施例図
【符号の説明】
【００１０】  （１）…アルミロッド
（２）…Ｔ字体の縦軸
（３）…アルミロッド嵌合部
（４）…Ｔ字体の水平軸
Ａ…逆Ｔ字形の安定具
【図１】
0003101441.tif 000003
【図２】
0003101441.tif 000004
(57)【要約】
【課題】  鉄筋或は鉄骨構造部材の長さを測る際に作業員の人手を借りることなく１人で測定できる定規を提供する。
【解決手段】  マグネット製の定規であって、鉄筋或は鉄骨構造部材に当てるだけで定規が固定されるため、部材が長尺であっても或は巻尺式のリボンロッドであっても１人で測ることができる。
【選択図】  図１
0003101442.tif 000002
【実用新案登録請求の範囲】
【請求項１】
全体をマグネット製の平板体として表面に目盛を設けたことを特徴とした平尺ロッド。
【請求項２】
全体をマグネット製のリボン形状であって表面に目盛を設け、巻き玉に収納したことを特徴としたリボンロッド。
【考案の詳細な説明】
【技術分野】
【０００１】  本考案は、土木・建築等において鉄筋或は鉄骨構造部材の長さ等を測定するマグネット製のロッドに関する。
【背景技術】
【０００２】  鉄筋或は鉄骨構造部材の長さの測定に用いるロッド（定規）は、細幅で平板状のアルミ材か、ビニールの広幅の巻尺状のリボンロッドと称されるものとが知られていて、計測に当っては、片手でロッドを押えて計測している。
【特許文献１】  特開平０５−１３３７４８号公報
【考案の開示】
【考案が解決しようとする課題】
【０００３】  上記のようにロッドを使って計測する場合は、片方の手でロッドを押えているため記録等が不便であり、また計測対象物が長尺の場合は数人の入手を借りるという煩わしさがあった。
【課題を解決するための手段】
【０００４】  考案者は、このような不便を解決するため鋭意研究を重ねた結果本考案に到達したものであって、本考案はアルミロッド或はリボンロッドをマグネット（磁石）製にすることによって、平板状のロッドの場合は、被計測材である鉄筋部材にロッドが吸着固着されるため、計測者は両手を離しても計測が可能である。【０００５】  またリボンロッドの場合は、リボンをマグネット（磁石）製にして鉄筋部材に当て、リボンを計測長さに繰り出して、片手をリボンに当てるだけで測定ができるため、測定が正確で簡単、しかも長尺の部材であっても１人で計測ができる。
【考案の効果】
【０００６】  上述のように本考案は、単尺ロッド或はリボンロッドをマグネット製にすることによって、他人の手を借りることなく１人で計測が可能となり、しかも両手を離すか、軽く片手を当てるだけで記録等がとれることによって、正確で高能率の作業が期待できる。
【考案を実施するための最良の形態】
【０００７】  添付図面により本考案の実施のための最良の形態を表わす実施例図であって、図１のＡはマグネット製の平尺ロッドを示している。図２はマグネット製のリボンロッドＢであって巻尺式となっている。
【実施例】
【０００８】  図示されているＡは長尺のマグネット製ロッドであって長さは１ｍの目盛が記入されている細幅の平板体である。又Ａ−１は長さ３０ｃｍの短尺のマグネット製のものであって、幅や厚み等は長尺のロッドと同じであり、長尺のもの短尺のもの相方共マグネット製である。【０００９】  Ｂはリボンロッドであって、幅広のマグネット製の帯状体で一般に使用されている巻尺の大型のもので、５ｍｍ単位の目盛が記入されている。【００１０】  その使用方法は、計測体（鉄鋼製部材に限られる）の表面に、このロッドを当てることによって、ロッドはマグネット（１）の磁力によって、被計測体の表面に吸着固定され、平尺ロッドＡの場合は両手を離しても記録等がとれ、又リボンロッドＢは巻尺式であるためマグネット（１）を被計測部材の表面に当てて固定し、リボンを伸ばして計測するが、この場合に先端が固着されているため、作業者は巻き玉（２）を持ったまま１人で計測ができる。
【考案上の利用可能性】
【００１１】  本考案は、土木・建築業において鉄筋或は鉄骨構造部材の長さの測定、計測にきわめて有利に利用できる。
【図面の簡単な説明】
【００１２】
【図１】  平尺ロッドの全体図
【図２】  リボンロッドの全体図
【符号の説明】
【００１３】  （１）…マグネット製のロッド
（２）…巻き玉
Ａ…長尺の平尺ロッド
Ａ−１…短尺の平尺ロッド
Ｂ…リボンロッド
【図１】
0003101442.tif 000003
【図２】
0003101442.tif 000004
(57)【要約】
【課題】メモ板や、カッティングマット等の用途に使用できるデスクマットを提供することである。
【解決手段】透明な塩化ビニールシート１１と基板１２の一側部をヒンジ結合して開閉自在とし、前記透明シート１１の外面に紫外線硬化型塗料の塗膜を形成したのである。また、前記基板１２に耐切傷板を用いるのが好ましい。
【選択図】図１
0003101453.tif 000002
【実用新案登録請求の範囲】
【請求項１】
外面に紫外線硬化型塗料の塗膜を形成した柔軟性のある透明シートと硬質又は軟質の基板を重ね合せてそれらの一側部をヒンジ結合し開閉自在としたデスクマット。
【請求項２】
前記透明シートが塩化ビニールから成り、前記基板が耐切傷板より成る請求項１に記載のデスクマット。
【請求項３】
前記紫外線硬化型塗料がウレタンアクリレート系紫外線硬化型塗料より成る請求項１に記載のデスクマット。
【請求項４】
前記耐切傷板がポリプロピレンの多重シートより成る請求項１〜３のいずれかに記載のデスクマット。
【請求項５】
前記耐切傷板の外面に細かい凹凸を形成してマット面とした請求項１〜４のいずれかに記載のデスクマット。
【考案の詳細な説明】
【技術分野】
【０００１】
この考案は、繰り返し使用できる覚え書き（メモランダム）板として利用できるデスクマットに関する。
【背景技術】
【０００２】
従来、上記のような用途には、所謂メモ用紙を用い、これをデスクマットに挿入しておく方法が一般的に採られていたが、収納場所や整理が面倒で事務能率を低下させるばかりでなく、費用面でも高くつく問題があった。また、紙等をデスクマットの上でカッタナイフによって切断すると、デスクマットを切傷し、所謂切口開き現象が生じてデスクマットが早期に使いものにならなくなる問題があった。
【考案の開示】
【考案が解決しようとする課題】
【０００３】
そこで、この考案の課題は、覚え書き板として利用することができ、カッティング板としても使用することができるデスクマットを提供することである。
【課題を解決するための手段】
【０００４】
上記の課題を解決するため、この考案においては、外面に紫外線硬化型塗料の塗膜を形成した柔軟性のある透明シートと硬質又は軟質の基板を重ね合せてそれらの一側部をヒンジ結合し、開閉自在としたのである。
【０００５】
前記透明シートを塩化ビニールで形成し、基板を耐切傷板で形成するのが好ましい。また、前記紫外線硬化型塗料はウレタンアクリレート系紫外線硬化型塗料より成る。前記耐切傷板はポリプロピレンの多重シートで形成するのがよい。この耐切傷板の外面に細かい凹凸を形成してマット面にしておくのが好ましい。
【考案の効果】
【０００６】
この考案によれば、以上のように、デスクマットの外面をメモとして使用できるので非常に便利であり、事務効率の向上をはかることができ、また基板に耐切傷板を用いるとカッティングマットとしても使用できるので、デスクの保護に役立つなどの効果をあげることができる。
【考案を実施するための最良の形態】
【０００７】
以下、この考案の実施形態を添付図面に基づいて説明する。図１及び図２に示すように、この考案のデスクマット１０は、柔軟な透明シート１１と硬質又は軟質の基板１２とを重ね合せ、それらの一側部をステイプル（Ｕ字形止め針）や鋲１３などで止着してヒンジ結合し、透明シート１１と基板１２を他側部から開閉可能としたものである。なお、前記ヒンジ結合した一側部に、断面Ｕ字状のカバー部材１４を外面に圧接するように取り付けておくと美感上も好ましい。
【０００８】
前記透明シート１１は塩化ビニールで形成するのがよく、その外面には、油性のホワイトボード用マーカで文字等を書くと良好に付着する一方、ティッシュペーパや布等でふき取ると容易に消去可能な塗膜が形成されている。この塗膜は、例えばウレタンアクリレート系などの紫外線硬化型塗料がある。また、基板１２は、通常の硬質または軟質合成樹脂板で形成してもよいが、硬質ポリプロピレンシートの両面に軟質ポリプロピレンシートを積層した多重ポリプロピレンシートより成り、カッタナイフ等の刃先がくい込まず、切込み線が開かないような耐切傷性材料で形成するのが好ましい。この基板１２には、任意の着色を施しておくことができる。
【０００９】
なお、透明シート１１と基板１２が熱融着可能であれば、それらの一側縁部を高周波融着して、図３に示すように、デスクマット１０の一側にヒンジ部１３ａを形成し、横開き可能にすることもできる。
【００１０】
図４に使用例を示す。図４（イ）に示すように、透明シート１１の外面に、油性のホワイトボード用マーカでメモランダムＡを書くことができ、これをティッシュペーパ等でふき取ると簡単に消去でき、何回でも使用できる。また、透明シート１１と基板１２との間に挟んだ絵などの上に重ねるように、透明シート１１に水性マーカで文字や他の絵を付加することができる。図４（ロ）に示すように、基板１２が耐切傷板で形成されている場合、その上に紙Ｂなどを置き、もの差しＣをガイドにしてカッタナイフＤで切断することができる。このとき耐切傷板には、前記のような特殊なものを用いているので、多数回使用しても耐切傷板が損傷することがない。なお、基板１２の外面にマット加工（細かい凹凸）を施しておくことができる。
【図面の簡単な説明】
【００１１】
【図１】この考案のデスクマットの一例を示す断面図
【図２】同上の平面図
【図３】デスクマットの他の例を示す平面図
【図４】デスクマットの使用例を示す平面図
【符号の説明】
【００１２】
１０  デスクマット
１１  透明シート
１２  耐切傷板
１３  ステイプルまたは鋲
１３ａ  ヒンジ部
１４  カバー部材
Ａ  メモランダム
Ｂ  紙
Ｃ  もの差し
Ｄ  カッタナイフ
【図１】
0003101453.tif 000003
【図２】
0003101453.tif 000004
【図３】
0003101453.tif 000005
【図４】
0003101453.tif 000006
(57)【要約】
【課題】  気温が低いときでも保温効果があり、寒い環境の中でも暖かく眠ることのできる保温マットを提供する。
【解決手段】  発泡合成樹脂層１２の上に直接的に又は間接的に備長炭の層１６を設けたことにより、備長炭の粉末の遠赤外線の放出効果が人体の保温に役立ち、また備長炭の粉末は、悪臭や有害物質の除去に効果がある。
【選択図】  図２
0003101482.tif 000002
【実用新案登録請求の範囲】
【請求項１】
発泡合成樹脂層を有する保温マットにおいて、前記発泡合成樹脂層の上に直接的にあるいは間接的に備長炭の粉末の層を設けたことを特徴とする保温マット。
【請求項２】
前記備長炭の粉末の層は、備長炭の粉末をグラビア印刷のインクに略２０重量％混合し印刷されて設けられていることを特徴とする請求項１に記載の保温マット。
【請求項３】
前記備長炭の粉末の粒径が略０．８〜数十μｍであることを特徴とする請求項２に記載の保温マット。
【請求項４】
前記グラビア印刷のインクに、ウレタン系樹脂、有機溶剤、硬化剤が混合されていることを特徴とする請求項２に記載の保温マット。
【請求項５】
前記発泡合成樹脂層の上にポリプロピレン又はポリエチレンのフィルムが設けられ、その上に前記備長炭の層が設けられていることを特徴とする請求項１から４のいずれか１つに記載の保温マット。
【請求項６】
前記備長炭の粉末の層の上にポリアミド樹脂層が設けられていることを特徴とする請求項１から５のいずれか１つに記載の保温マット。
【考案の詳細な説明】
【技術分野】
【０００１】
本考案は、保温マットに関し、特に敷き布団の下に敷いて用いる保温マットに関する。
【背景技術】
【０００２】
従来から、敷き布団の下に敷いて布団の温度を保つ保温マットが知られている。かかる保温マットは、発泡ポリエチレンなどの層を有している。また、微粒活性炭と樹脂粉末を混合して除湿機能を付加した従来の保温マットとしては、下記の特許文献１に記載されたものがある。
【特許文献１】実用新案登録第３０２７１０５号（図１）
【考案の開示】
【考案が解決しようとする課題】
【０００３】
かかる保温マットは、発泡合成樹脂が含んでいる空気が保温機能を発揮することにより保温するよう構成されている。しかし、気温が極めて低いときは、かかる従来の保温マットを布団の下に敷いても、保温効果が十分に発揮されないという問題があった。したがって、本考案は、気温が低いときでも保温効果があり、寒い環境の中でも暖かく眠ることのできる保温マットを提供することを目的とする。
【課題を解決するための手段】
【０００４】
上記目的を達成するため、本考案では発泡合成樹脂層の上に直接的に又は間接的に備長炭の粉末の層を設けている。この構成により、備長炭の粉末の遠赤外線の放出効果が人体の保温に役立ち、また備長炭の粉末は、悪臭や有害物質の除去に効果がある。
【０００５】
すなわち本考案によれば、発泡合成樹脂層を有する保温マットにおいて、前記発泡合成樹脂層の上に直接的にあるいは間接的に備長炭の粉末の層を設けたことを特徴とする保温マットが提供される。
【０００６】
なお、前記備長炭の粉末の層は、備長炭の粉末をグラビア印刷のインクに略２０重量％混合し印刷されて設けられていることは本発明の好ましい態様である。
【０００７】
また、前記備長炭の粉末の粒径が略０．８〜数十μｍであることは本考案の好ましい態様である。
【０００８】
また前記グラビア印刷のインクに、ウレタン系樹脂、有機溶剤、硬化剤が混合されていることは本考案の好ましい態様である。
【０００９】
また、前記発泡合成樹脂層の上にポリプロピレン又はポリエチレンのフィルムが設けられ、その上に前記備長炭の層が設けられていることは本考案の好ましい態様である。
【００１０】
前記備長炭の粉末の層の上にポリアミド樹脂層が設けられていることは本考案の好ましい態様である。
【考案の効果】
【００１１】
本考案によれば、発泡合成樹脂からなる保温マットの少なくとも一方の面に備長炭の粉末の層を設けたので、備長炭の粉末が遠赤外線を放出し、いわゆる遠赤効果を得ることができ、保温効果のみならず、健康へのよい影響が期待でき、さらに悪臭や有害物質の除去により快適な環境作りが期待できる。
【考案を実施するための最良の形態】
【００１２】
以下、図面を参照して本考案の好ましい実施の形態について説明する。図１は本考案に係る保温マットの実施の形態の表面を示す平面図である。図２は、図１中の保温マット１０のＡ−Ａ断面図である。この保温マット１０は、発泡合成樹脂層１２を基本的構成要素としている。発泡合成樹脂１２としては、発泡ポリエチレンを用いることができる。発泡合成樹脂層の上には合成樹脂フィルム１４が設けられている。合成樹脂フィルム１４としては、ポリプロピレンあるいはポリエチレンのフィルムを用いることができる。発泡合成樹脂フィルム１４の上には、備長炭の粉末をバインダーと共に印刷した層１６（単に備長炭の層とも言う）が設けられている。さらに、この備長炭の層１６の上にはポリアミド樹脂層１８がストライプ状に設けられている。
【００１３】
備長炭の粉末をバインダーと共に印刷した層１６は、備長炭の粉末がグラビア印刷のインクに略２０重量％混合されて印刷されて設けられている。また、備長炭の粉末の粒径は略０．８〜数十μｍであることが好ましい。グラビア印刷のインクに、バインダーとしてのウレタン系樹脂、有機溶剤、硬化剤を混合すると、塗布が良好に行われ、また塗布後の剥離などがない。さらに、備長炭の層１６の上のポリアミド樹脂層１８は、滑り止めの効果を奏するものである。
【００１４】
本実施の形態では、備長炭の層１６は、一方の面のみに塗布されているが、必要に応じて、反対の面にも塗布することができる。なお、図１及び図２の実施の形態では、片面の略全域に塗布されているが、全域ではなく、一部の領域にのみ塗布してもよい。さらに、所定のパターンを描くよう略全域又は一部に備長炭の層１６を塗布することもできる。
【００１５】
表面のポリアミド樹脂層１８も一方の面のみに塗布されているが、必要に応じて、反対の面にも塗布することができる。なお、図１及び図２の実施の形態では、ポリアミド樹脂層１８は片面の略全域に塗布されているが、全域ではなく、一部の領域にのみ塗布してもよい。さらに、ストライプ状以外の所定のパターンを描くよう略全域又は一部にポリアミド樹脂層１８を塗布することもできる。
【図面の簡単な説明】
【００１６】
【図１】本考案に係る保温マットの好ましい実施の形態の表面を示す平面図である。
【図２】保温マットの図１中のＡ−Ａ線での断面図である。
【符号の説明】
【００１７】
１０  保温マット
１２  発泡合成樹脂層
１４  合成樹脂フィルム
１６  備長炭の層
１８  ポリアミド樹脂層
【図１】
0003101482.tif 000003
【図２】
0003101482.tif 000004
(57)【要約】
【課題】  道路舗装工事において、道路幅の計測を２人で手際よく行うためのリボンロッド立設具を提供する。
【解決手段】  逆Ｔ字形の立設具の縦軸部を２重構造とし、この間隔をリボンロッドの挿入部としたリボンロッド立設具Ａを用い、これにリボンロッドを挟んで立姿として工事路面に渡して２人での測量を可能とする。
【選択図】  図１
0003101440.tif 000002
【実用新案登録請求の範囲】
【請求項１】
逆Ｔ字形安定具Ａの縦軸（２）を２重構造とし、この上部にリボンロッド（１）を挿入する間隙（３）を設け、Ｔ字形安定具Ａの水平軸（４）を接地部とし、前記間隙（３）からリボンロッド（１）をはさみ込むことを特徴としたリボンロッド立設具。
【考案の詳細な説明】
【技術分野】
【０００１】  本考案は、幅員を計測する土木工事、例えば道路の舗装工事の際に道路幅を計測するためのリボンロッドを立置き状にする立設具に関する。
【背景技術】
【０００２】  従来、道路の舗装工事において、舗装する道の道幅を計る場合は、巻尺式のリボンロッドを使用して、作業員の１人がリボンロッドの起点を持って路面にしゃがみ、他の作業員がリボンロッドを伸ばしながら、舗装する幅まで進み、中間でリボンロッドがたおれない様に数人で、ささえしゃがんで、道幅を測定する。【０００３】  この際道幅が広いと、リボンロッドの起点と終点との間に何人かの作業員が必要となる。これはリボンロッドを立てて正面から数値が見易いようにするためである。
【特許文献１】  特開平０５−９８６０８号公報
【技術の開示】
【考案が解決しようとする課題】
【０００４】  本考案は、このように僅か１０ｍにも満たない道路幅の測定に作業員を３〜６人も必要とする従来の作業に疑問があった。
【課題を解決するための手段】
【０００５】  考案者は、このように多くの作業員を必要とする無駄と煩わしさを無くすため鋭意研究を重ねた結果本考案を完成させたものであって、本考案は、逆Ｔ字形の小片の間にリボンロッドを挟み、この小片を間隔を置いて配置することによってリボンロッドは立形となって道路面の幅に渡すことができる。そして計測に当っては正面から目盛を見ることができ、しかも人手を借りることなく両端の２人で測定が可能となる。
【考案の効果】
【０００６】  上述のように本考案は、道路の舗装工事において、道路幅を測定する際に、リボンロッド立設具を用いることにより、両端の２人で計測が可能となるため、多くの人手を借りることなく簡単に作業が終了するため、作業上の効果は大きい。
【考案を実施するための最良の形態】
【０００７】  添付図面により本考案のリボンロッド立設具を説明すると、図１はＴ字形の立設具の側面図であって、逆Ｔ字形立設具Ａの縦軸（２）を２重構造としこの間にリボンロッド（１）を挟むこととし、Ｔ字形立設具Ａの水平軸（４）は地面に設置する面とする。【０００８】  そして図２はこの図１の部分を正面から見た正面図である。このようにリボンロッド（１）は逆Ｔ字形の立設具Ａを使用することにより、立姿となり正面から目盛が見易くなって両端の２人で計測が簡単で容易にできる。
【実施例】
【０００９】  工事を施工する道路幅が例えば１０ｍと広いような場合には２ｍ間隔で本考案のリボンロッド立設具Ａを配し、リボンロッド（１）は倒れることなく真直正面を向き、測量に当って目盛が明瞭に読み取れる。
【産業上の利用可能性】
【００１０】  道路の舗装工事に際して、作業人員を削減でき、しかも立設具Ａはプラスチック製で廉価であって大量に生産できるため、舗装業界での利用は大きい。
【図面の簡単な説明】
【００１１】
【図１】  使用を表わす側面図
【図２】  使用を表わす一部分の正面図
【符号の説明】
【００１２】  （１）…リボンロッド
（２）…縦軸
（３）…挿入口
（４）…水平軸
Ａ…立設具
【図１】
0003101440.tif 000003
【図２】
0003101440.tif 000004